(57)【要約】【課題】使用者が所望によりＩＣカードの機能を簡単にかつ確実に有効／無効にできる非接触式ＩＣカードを提供する。【解決手段】この非接触式ＩＣカードは、カード本体１の面に設けられた電磁誘導アンテナコイル２と、この電磁誘導アンテナコイル２と金属配線３を介して接続され、不揮発性メモリ４と電磁誘導アンテナコイル２に生じた誘導起電力により不揮発性メモリ４に対して情報の読み込み及び書き込みを行うＣＰＵ５とを一体的に設けたＩＣチップ６と、このＩＣチップ６と電磁誘導アンテナコイル２とを接続する金属配線３を、利用者のスライド操作により導通または非導通させるスイッチ７とを備える。【選択図】図１
2009134493.tif 000002
【特許請求の範囲】
【請求項１】
カード状の基板と、
この基板の面に設けられた電磁誘導アンテナコイルと、
電源供給の有無にかかわらずデータを保持可能な不揮発性メモリと、
前記電磁誘導アンテナコイルと回路配線を介して接続され、前記電磁誘導アンテナコイルに生じた誘導起電力が前記回路配線を通じて供給されることにより、前記不揮発性メモリに対してデータの読み込み及び書き込みを行う制御ユニットと、
この制御ユニットと前記電磁誘導アンテナコイルとを接続する回路配線を、利用者の操作による入・切事象の発生により導通または非導通させるスイッチと
を具備することを特徴とする非接触式ＩＣカード。
【請求項２】
前記スイッチが、
前記基板の面の向きを反転させることにより回路配線を導通または非導通とする面方向検知式のスイッチであることを特徴とする請求項１記載の非接触式ＩＣカード。
【発明の詳細な説明】
【技術分野】
【０００１】
本発明は、例えば金融機関および公共機関などで発行され、物品を購入した際、サービスまたは交通機関等を利用した際の支払いや本人証明などに利用される非接触式ＩＣカードに関する。
【背景技術】
【０００２】
使用者がリーダライタ（以下「Ｒ／Ｗ」と称す）にＩＣカードをかざすだけで、ＩＣカードに保持されている情報の読み取り、ＩＣカードへの情報の書き込みを行う非接触式ＩＣカードの技術が既に公開されている(特許文献１参照)。
【特許文献１】特許第２８１４４７号公報
【発明の開示】
【発明が解決しようとする課題】
【０００３】
従来の非接触式ＩＣカードでは、非接触式のためＩＣカードを機器に挿入する手間を省くことができるものの、複数枚のＩＣカードをＲ／Ｗに同時にかざしてＲ／Ｗが検知した場合の処理については具現化されていない。
【０００４】
非接触式ＩＣカードを処理するシステムとしては、一般に、１人の使用者に対して１枚のＩＣカードの処理を前提としたものが想定されており、１人の使用者が複数枚のＩＣカードを保持している場合、複数枚のＩＣカードをＲ／Ｗにかざしたとしても、Ｒ／ＷではそれらのＩＣカードを処理対象外とすることが多い。
【０００５】
しかし、非接触式ＩＣカードは、利便性の面から、今後、１人で複数枚所持することが予想されるため、複数枚のＩＣカード処理への対応が急務になっている。
【０００６】
また、１人で複数枚のＩＣカードを単に所持している場合、非接触式ＩＣカードの特性上、バッグの中にＩＣカードをしまったままでもバッグの外側からＲ／Ｗを近づけさえすればＩＣカードの情報を読み取ることが可能なため、ＩＣカードの所持者が気付かないうちに、ＩＣカードの内容が第３者によって読み取られてしまうこと（スキミング）も考えられる。
【０００７】
本発明はこのような課題を解決するためになされたもので、使用者が所望により非接触式ＩＣカードの機能を簡単にかつ確実に有効／無効にすることができる非接触式ＩＣカードを提供することを目的とする。
【課題を解決するための手段】
【０００８】
上記の課題を解決するために本発明の非接触式ＩＣカードは、カード状の基板と、この基板の面に設けられた電磁誘導アンテナコイルと、電源供給の有無にかかわらずデータを保持可能な不揮発性メモリと、前記電磁誘導アンテナコイルと回路配線を介して接続され、前記電磁誘導アンテナコイルに生じた誘導起電力が前記回路配線を通じて供給されることにより、前記不揮発性メモリに対してデータの読み込み及び書き込みを行う制御ユニットと、この制御ユニットと前記電磁誘導アンテナコイルとを接続する配線を、利用者の操作による入・切事象の発生により導通または非導通させるスイッチとを具備することを特徴とする。
【０００９】
なお、スイッチとして、例えば基材の面の向きを反転させることにより回路配線を導通または非導通とする重力方向検知スイッチを用いることで、非接触式ＩＣカードの機能を容易に有効／無効にすることができる。
【発明の効果】
【００１０】
本発明によれば、使用者が所望により非接触式ＩＣカードの機能を簡単にかつ確実に有効／無効にすることができる。
【発明を実施するための最良の形態】
【００１１】
以下、本発明の実施の形態について図面を参照しながら説明する。図１は本発明の実施形態に係る非接触式ＩＣカードの構成を示すブロック図、図２はカード本体を上向きにしたときの断面図、図３はカード本体を下向きにしたときの断面図である。
である。
【００１２】
図１に示すように、この非接触式ＩＣカードは、カード状の外形をなす基板としてのカード本体１の面に設けられた電磁誘導アンテナコイル２と、この電磁誘導アンテナコイル２と回路配線（フィルム状の金属配線３）を介して接続されたＩＣチップ６と、このＩＣチップ６と電磁誘導アンテナコイル２とを接続する金属配線３を、利用者の操作による入・切事象の発生で導通または非導通させるスイッチ７とを備えている。
【００１３】
非接触式ＩＣカードは、一般に、密着型（通信距離０〜２ｍｍ、使用周波数４．９１ＭＨｚ）、近接型（通信距離０〜１０ｃｍ、使用周波数１３．５６ＭＨｚ）、近傍型（通信距離０〜７０ｃｍ、使用周波数１３．５６ＭＨｚ）に分類されるが、本発明はいずれの場合にも適用可能である。
【００１４】
カード本体１は、ポリエチレンテレフタレート（ＰＥＴ）などを板状に加工したもの（部材）である。カード本体１の一面には、電磁誘導アンテナコイル２、ＩＣチップ６およびスイッチ７が実装されている。電磁誘導アンテナコイル２とＩＣチップ６とは、回路配線（フィルム状の金属配線３）を介して接続されている。
【００１５】
ＩＣチップ６は、不揮発性メモリ４と制御ユニットとしてのＣＰＵ５とを一体にして形成したものであり、ＩＣチップ６には、不揮発性メモリ４とＣＰＵ５が含まれている。
【００１６】
不揮発性メモリ４は、電源供給の有無にかかわらずデータを保持可能な記憶素子、例えばＥＥＰＲＯＭなどである。ＣＰＵ５は、電磁誘導アンテナコイル２に生じた誘導起電力が金属配線３を通じて供給されることにより電源を得て、不揮発性メモリ４に対してデータの読み込み及び書き込みを行う。
【００１７】
非接触式ＩＣカードをＩＣカードリーダライタ（以下「Ｒ／Ｗ」と称す）に近接または当接させることにより、電磁誘導アンテナコイル２に誘導起電力が生じる。
【００１８】
また、ＣＰＵ５は、電源が供給されることにより電磁誘導アンテナコイル２から電波を発信し、不揮発性メモリ４から読み出したデータをＲ／Ｗに送る。
【００１９】
スイッチ７は、ＩＣチップ６と電磁誘導アンテナコイル２とを接続する回路配線（フィルム状の金属配線３）を、「入」・「切」の事象の発生により導通（接続）または非導通（回路の切離し、非接続）させる。
【００２０】
本例では、スイッチ７としてスライドスイッチを用いており、「入」、「切」の事象の発生とは、利用者によるスライドスイッチのスイッチスライド操作が相当する。この他、スイッチ７としては、例えばディップスイッチなどが用いられる。
【００２１】
また、スイッチ７は、図２、図３に示すように、カード面の方向に応じて接点８が金属配線３に当接または離間して「入」・「切」する重力スイッチ９をカード本体１に実装し、利用者が非接触式ＩＣカードの面の方向を図２のように上向き（上面を上）にしたときに「切」、図３のように下向き（下面を上）にしたときに「入」とし、ＣＰＵ５への電源の供給状態を切り替えてもよい。すなわち、このスイッチ７は、カード本体１の面の向きを反転させることにより回路配線を導通または非導通とする面方向検知式のスイッチである。
【００２２】
この場合の利用者の操作とは、カード面を反転させることである。なお面の向きと金属配線３を接続「入」または非接続「切」する関係は逆であってもよい。
【００２３】
さらに、スイッチ７は、加速度センサなどを利用してカード本体１を「振る」ことにより入（オン）・切（オフ）の状態を切り替えるようにしてもよい。
【００２４】
さらに、スイッチ７として、超小型角速度（ジャイロ）センサをカード本体１に実装し、カードの面方向を検出し、ＣＰＵ５への電源の供給状態を切り替えてもよい。
【００２５】
以下、この非接触式ＩＣカードの動作を説明する。この非接触式ＩＣカードでは、利用者が所望によりスイッチ７を操作して「切」、つまり金属配線３を非接続の状態にし、その非接触式ＩＣカードをＲ／Ｗにかざしたときには、電磁誘導アンテナコイル２に誘導起電力が発生するものの、スイッチ７によって電磁誘導アンテナコイル２からＣＰＵ５への回路が遮断されているため、本来、ＣＰＵ５に供給されるはずの電流が供給されない。
【００２６】
ＣＰＵ５は、電源が供給されないため、外部からのコマンドに対して反応することはない。これにより、この非接触式ＩＣカードの機能が停止したままになる。
【００２７】
一方、非接触式ＩＣカードに備えられているスイッチ７を利用者が「入」、つまり金属配線３を接続の状態に切り替えた場合は、非接触式ＩＣカードをＲ／Ｗにかざすと、電磁誘導アンテナコイル２からＣＰＵ５に電力が供給されるので、ＣＰＵ５は、外部からのコマンドに対して通常通り反応する。これにより非接触式ＩＣカードは、機能が有効になった状態となる。
【００２８】
このようにこの実施形態の非接触式ＩＣカードによれば、使用者が希望すれば非接触式ＩＣカードの機能を簡単にかつ確実に有効にできる。また使用者が望まなければ非接触式ＩＣカードの機能を簡単にかつ確実に停止状態にできる。
【００２９】
例えばＲ／Ｗを接続したカード処理システムの側が、１枚の非接触式ＩＣカードしか処理しないシステムの場合、利用者１人で複数枚の非接触式ＩＣカードを所持しバックなどにしまっているような場合に、予め複数枚のうち一枚の非接触式ＩＣカードのスイッチ７だけを「入」にしておけば、複数枚の非接触式カードを入れたままＲ／Ｗにかざして、ＩＣカードの処理を行うことができる。
【００３０】
また、カード処理システムの側が多数の非接触式ＩＣカードを同時に処理可能な場合、利用者の意志で処理する非接触式ＩＣカードを限定することができる。
【００３１】
さらに、所持者が非接触式ＩＣカードをバッグに入れて持ち運ぶ際に、スイッチ７を「切」にしておくことで、所持者が気付かないうちに非接触式ＩＣカードの内容が第３者によって読み取られてしまう、いわゆるスキミング等の行為も防止することができる。
【００３２】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【００３３】
例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明の一実施形態の非接触式ＩＣカードの構成を示す図である。
【図２】カード本体を上向きにしたときの断面図である。
【図３】カード本体を下向きにしたときの断面図である。
【符号の説明】
【００３５】
１…基板
２…電磁誘導アンテナコイル
３…金属配線
４…不揮発性メモリ
５…ＣＰＵ
６…ＩＣチップ
７…スイッチ
８…接点
９…重力スイッチ
【図１】
2009134493.tif 000003
【図２】
2009134493.tif 000004
【図３】
2009134493.tif 000005